(57)【要約】【課題】剪定された枝葉などを切断する目的に応じて、枝葉などの切断寸法の調節を実現することができるガーデンシュレッダを提供する。【解決手段】このガーデンシュレッダ１０は、被切断材を投入する投入口１１を有するケーシング１３と、駆動源となるモータ２１と、モータ２１からの駆動力により回転する回転刃３１と、回転刃３１の近傍に設置される固定刃３３と、を備え、回転刃３１および固定刃３３が、投入口１１からの被切断材の投入方向に対して傾斜した状態で設置されるとともに投入された被切断材を切断するガーデンシュレッダ１０であって、ケーシング１３内に、被切断材を受け止めるとともに回転刃３１との距離を調節可能な調節板４０が設置されるものである。【選択図】図７
2015189009.tif 000002
【特許請求の範囲】
【請求項１】
被切断材を投入する投入口を有するケーシングと、
駆動源となるモータと、
前記モータからの駆動力により回転する回転刃と、
前記回転刃の近傍に設置される固定刃と、
を備え、
前記回転刃および前記固定刃が、前記投入口からの被切断材の投入方向に対して傾斜した状態で設置されるとともに投入された被切断材を切断するガーデンシュレッダにおいて、
前記ケーシング内に、投入された被切断材を受け止めるとともに前記回転刃との距離を調節可能な調節板が設置されることを特徴とするガーデンシュレッダ。
【請求項２】
請求項１に記載のガーデンシュレッダにおいて、
投入された被切断材を受け止める前記調節板の面が、前記回転刃の回転軸に直交するように設置されることを特徴とするガーデンシュレッダ。
【請求項３】
請求項１又は２に記載のガーデンシュレッダにおいて、
前記調節板は、前記回転刃の回転軸方向に移動することを特徴とするガーデンシュレッダ。
【請求項４】
請求項１〜３のいずれか１項に記載のガーデンシュレッダにおいて、
前記調節板に隣接してカムが設置され、
前記調節板は、前記カムを回転させることにより前記回転刃との距離を調節することができることを特徴とするガーデンシュレッダ。
【請求項５】
請求項１〜４のいずれか１項に記載のガーデンシュレッダにおいて、
前記調節板が、前記固定刃と重畳しない位置に設置され、
前記ケーシングは、切断された被切断材の排出経路のための空間を有していることを特徴とするガーデンシュレッダ。
【発明の詳細な説明】
【技術分野】
【０００１】
本発明は、被切断材を切断するガーデンシュレッダに係り、特に、被切断材の切断寸法を調節することができるガーデンシュレッダに関するものである。
【背景技術】
【０００２】
従来から、剪定された枝葉などの細断や粉砕を行う際、細断機や粉砕機が使用されている。この種の細断機や粉砕機では、モータからの駆動力により回転する回転盤に枝葉などの細断や粉砕を行う刃を設け、回転盤を高速回転することにより枝葉の細断や粉砕を行う方式が採用されている。例えば、下記特許文献１には、回転盤に切裁刃を設け、庭園や果樹園などから排出された廃棄物としての小枝や葉などが高速回転する切裁刃により細断されて、嵩張らないチップ状態の切裁物となる庭園用樹木細断機が開示されている。
【０００３】
また、モータからの駆動力により回転する回転軸に枝葉の細断や粉砕を行う刃を設け、回転軸を高速回転することにより枝葉の細断や粉砕を行う方式も採用されている。例えば、下記特許文献２には、回転軸に固設した枝切刃がモータの駆動力を伝達機構により伝達して高速回転可能にし、枯れ枝や剪定した枝、根等を砕く剪定小枝粉砕機が開示されている。
【先行技術文献】
【特許文献】
【０００４】
【特許文献１】特開昭５８−１９３１０３号公報
【特許文献２】実開昭５９−１２６６０６号公報
【発明の概要】
【発明が解決しようとする課題】
【０００５】
ここで、剪定された枝葉などを切断する目的としては、上掲した特許文献１に記載の細断機のように、剪定された枝葉などを廃棄物として廃棄するために嵩張らないように体積を小さくすること、堆肥にすること又は燻製用のチップにすることなどが考えられる。剪定された枝葉などを廃棄物として廃棄するために体積を小さくする場合には、枝葉などの切断寸法は、ある程度の大きさにすることができれば良いが、より小さくすることで枝葉などの廃棄が容易になる。しかし、切断寸法が小さいほど切断作業時間は長くなることとなる。また、剪定された枝葉などを堆肥にする場合、枝葉などの切断寸法は、より小さくする必要がある。枝葉などを堆肥にする場合、切断された枝葉などの水分調整を行い、発酵させる必要があるためである。さらに、切断された枝を燻製用のチップにする場合、枝などの切断寸法は、ある程度小さくする必要がある。
【０００６】
しかしながら、上掲した特許文献１に記載の細断機および特許文献２に記載の粉砕機では、上述した枝葉などを切断する目的に応じて、切断寸法を変更することができないという課題があった。
【０００７】
本発明は、上述した課題の存在に鑑みて成されたものであって、その目的は、被切断材の切断寸法を調節することができるガーデンシュレッダを提供することにある。
【課題を解決するための手段】
【０００８】
以下、本発明について説明する。なお、本発明の理解を容易にするために添付図面の参照番号を括弧書きにて付記するが、それにより本発明が図示の形態に限定されるものではない。
【０００９】
本発明に係るガーデンシュレッダ（１０，１００）は、被切断材を投入する投入口（１１，１１１）を有するケーシング（１３，１１３）と、駆動源となるモータ（２１）と、前記モータ（２１）からの駆動力により回転する回転刃（３１，１３１）と、前記回転刃（３１，１３１）の近傍に設置される固定刃（３３，１３３）と、を備え、前記回転刃（３１，１３１）および前記固定刃（３３，１３３）が、前記投入口（１１，１１１）からの被切断材の投入方向に対して傾斜した状態で設置されるとともに投入された被切断材を切断するガーデンシュレッダ（１０，１００）であって、前記ケーシング（１３，１１３）内に、被切断材を受け止めるとともに前記回転刃（３１，１３１）との距離を調節可能な調節板（４０，１４０）が設置されることを特徴とするものである。
【００１０】
また、本発明に係るガーデンシュレッダ（１０，１００）は、投入された被切断材を受け止める前記調節板（４０，１４０）の面が、前記回転刃（３１，１３１）の回転軸に直交するように設置されることとすることができる。
【００１１】
さらに、本発明に係るガーデンシュレッダ（１０，１００）において、前記調節板（４０，１４０）は、前記回転刃（３１，１３１）の回転軸方向に移動することとすることができる。
【００１２】
またさらに、本発明に係るガーデンシュレッダ（１０）には、前記調節板（４０）に隣接してカム（５１）が設置され、前記調節板（４０）は、前記カム（５１）を回転させることにより前記回転刃（３１）との距離を調節することができることとすることができる。
【００１３】
さらにまた、本発明に係るガーデンシュレッダ（１０，１００）では、前記調節板（４０，１４０）が、前記固定刃（３３，１３３）と重畳しない位置に設置され、前記ケーシング（１３，１１３）内には切断された被切断材の排出経路のための空間（α）を有していることとすることができる。
【発明の効果】
【００１４】
本発明によれば、剪定された枝葉などを切断する目的に応じて、枝葉などの切断寸法の調節を実現することができるガーデンシュレッダを提供することができる。
【図面の簡単な説明】
【００１５】
【図１】本実施形態に係るガーデンシュレッダの正面を示す外観図である。
【図２】本実施形態に係るガーデンシュレッダの側面を示す外観図である。
【図３】本実施形態に係るガーデンシュレッダの正面側斜視を示す外観図である。
【図４】図１のＡ−Ａ断面図のうち要部を拡大した図である。
【図５】図４のＢ−Ｂ断面図である。
【図６】図２のＣ−Ｃ断面図である。
【図７】本実施形態に係るガーデンシュレッダの調節板を説明するための図１のＤ−Ｄ断面図であり、図中の分図（ａ）は、被切断材の切断寸法を小に設定した場合の調節板を示す図であり、図中の分図（ｂ）は、被切断材の切断寸法を大に設定した場合の調節板を示す図である。
【図８】本発明に係るガーデンシュレッダが取り得る多様な変形形態の一例を示す要部縦断面概略図である。
【図９】図８で示した変形形態に係るガーデンシュレッダの使用時の様子を例示した図である。
【発明を実施するための形態】
【００１６】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
まず、図１〜図７を用いて、本実施形態に係るガーデンシュレッダ１０の基本的な構成を説明する。ここで、図１は、本実施形態に係るガーデンシュレッダの正面を示す外観図であり、図２は、本実施形態に係るガーデンシュレッダの側面を示す外観図である。図３は、本実施形態に係るガーデンシュレッダの正面側斜視を示す外観図である。また、図４は、図１のＡ−Ａ断面図のうち要部を拡大した図であり、図５は、図４のＢ−Ｂ断面図であり、図６は、図２のＣ−Ｃ断面図である。さらに、図７は、本実施形態に係るガーデンシュレッダの調節板を説明するための図１のＤ−Ｄ断面図であり、図中の分図（ａ）は、被切断材の切断寸法を小に設定した場合の調節板を示す図であり、図中の分図（ｂ）は、被切断材の切断寸法を大に設定した場合の調節板を示す図である。
【００１８】
なお、本明細書では、説明の便宜のために、図１〜図３の図名に示すように、ガーデンシュレッダ１０の方向を、後述するスイッチ装置２７を操作する操作側を「背面」、反操作者側を「正面」と定義し、また、ガーデンシュレッダ１０の通常の使用状態の方向に基づいて「上・下」と定義し、説明することとする。
【００１９】
図１〜図３に示すように、本実施形態に係るガーデンシュレッダ１０は、被切断材を投入する投入口１１と、投入口１１を有するケーシング１３と、ケーシング１３を支持する２つの脚部１７と、２つの脚部１７の間に配置される組立て軸１８と、組立て軸１８の両端に設置される２つの車輪１９と、ケーシング１３の下方に配置されるシュレッダボックス１５と、を備えて構成される。
【００２０】
投入口１１は、被切断材としての枝葉などを投入するためのものであり、本実施形態に係る投入口１１は、後述する回転刃３１が被切断材を巻き込んで固定刃３３とともに被切断材を切断することができるような位置に投入口１１の開口部１２が配置されている（図７参照）。すなわち、本実施形態に係るガーデンシュレッダ１０は、後述する調節板４０の上方に投入口１１の開口部１２が配置されるように構成される。
【００２１】
ケーシング１３は、その内部に、図４〜図７に示すように、駆動源となるモータ２１と、モータ２１からの駆動力により回転する回転刃３１と、回転刃３１の近傍に設置される固定刃３３と、被切断材を受け止めるとともに回転刃３１との距離を調節可能な調節板４０と、を備えて構成される。
【００２２】
不図示の電源コードによってガーデンシュレッダ１０に供給された不図示の外部電源からの電力は、図２に示すように、モータ２１の上方に設置されるスイッチ装置２７に送られる。操作者が、スイッチ装置２７を押すことによりオン・オフ制御が行われ、スイッチ装置２７がオンになったときに電力がモータ２１へ供給されることで、モータ２１が有するモータ軸２２の回転駆動が行われるようになっている。
【００２３】
モータ軸２２には、回転刃３１にモータ２１からの駆動力を伝達する動力伝達機構２３が設置される。具体的には、図４に示すように、モータ２１が有するモータ軸２２は、その先端を斜め上方向に向けて設置されており、モータ軸２２の軸表面には、モータ軸歯車２２ａが形成されている。
【００２４】
また、図４および図５に示すように、モータ軸２２と並列した位置には、中間軸２５が配置されている。この中間軸２５の根元と先端には軸受２５ａ，２５ｂが配置されており、これら２つの軸受２５ａ，２５ｂが中間軸２５を回転可能に支えている。また、２つの軸受２５ａ，２５ｂの間には、中間軸２５に対してキーを用いて固定設置された第一歯車２５ｃと、中間軸２５の軸表面自体に形成された中間軸歯車２５ｄとが配置されている。
【００２５】
さらに、図５に示すように、中間軸２５と並列した位置には、回転刃軸２６が配置されている。この回転刃軸２６の先端部には、回転刃３１が固定設置されている。また、回転刃軸２６における回転刃３１設置位置の下方と、回転刃３１設置位置とは反対側の軸端部には、それぞれ軸受２６ａ，２６ｂが配置されており、これら２つの軸受２６ａ，２６ｂが、回転刃軸２６の回転運動を好適に支えている。また、２つの軸受２６ａ，２６ｂの間には、回転刃軸２６に対してキーを用いて固定設置された第二歯車２６ｃが配置されている。
【００２６】
そして、本実施形態では、モータ軸２２のモータ軸歯車２２ａと中間軸２５の第一歯車２５ｃとが噛み合い（図４参照）、また、中間軸２５の中間軸歯車２５ｄと回転刃軸２６の第二歯車２６ｃとが噛み合うことで（図５参照）、モータ２１からの駆動力を回転刃３１に対して伝達する動力伝達機構２３が構成されている。
【００２７】
したがって、モータ軸２２の回転駆動力により、モータ軸２２に形成されるモータ軸歯車２２ａが回転すると、モータ軸歯車２２ａの回転駆動力は、第一歯車２５ｃを介して中間軸２５に伝達され、さらに、中間軸２５の中間軸歯車２５ｄを介して第二歯車２６ｃに伝達されて、回転刃軸２６を回転駆動させることとなる。そして、回転刃軸２６が回転駆動することにより、回転刃軸２６に設置される回転刃３１が回転することとなる。
【００２８】
なお、本実施形態に係るガーデンシュレッダ１０は、被切断材を切断しているときにモータ２１に負荷が掛かり過ぎると、自動でモータ２１への電力の供給が停止するブレーカ機構を有して構成することができる。モータ２１に負荷が掛かり過ぎたことによってモータ２１への電力の供給が停止し、ガーデンシュレッダ１０の電源がオフとなった場合には、図２および図３に示すように、モータ２１の上方であってスイッチ装置２７の近傍に設置されるブレーカ装置２９を押すことにより、モータ２１への電力の供給が再開されることになる。このような構成により、本実施形態に係るガーデンシュレッダ１０は、モータ２１などを過負荷による故障などから保護することができ、操作者は、安全に本実施形態に係るガーデンシュレッダ１０を使用することができるようになっている。
【００２９】
回転刃３１および固定刃３３は、投入口１１からの被切断材の投入方向に対して傾斜した状態で設置されるとともに、協働して投入された被切断材を切断するように構成される。
【００３０】
回転刃３１は、図６に示すように、回転軸の中心から対称に伸びる２枚の回転切断刃３１ａ，３１ｂから構成される。回転切断刃３１ａ，３１ｂの外周側の刃の稜線は、回転刃３１の回転方向に対して後方に位置するように形成され、回転刃３１は、図６に示すように、平面視略Ｓ字形状となっている。このような構成により、一度回転刃３１の回転切断刃３１ａ，３１ｂが被切断材に食い込み、切れ目が入ると、回転刃３１の回転により徐々に被切断材は切断されていくので、本実施形態に係るガーデンシュレッダ１０は、より少ない力で被切断材を切断することができるようになっている。
【００３１】
また、固定刃３３は、図６に示すように、その刃先の稜線が外周側に向かって回転刃３１の反回転方向に向かって湾曲して形成される。そして、この固定刃３３は、回転刃３１の近傍に設置される。投入口１１から投入された被切断材は、回転刃３１の回転に巻き込まれて固定刃３３の位置まで移動し、回転刃３１と固定刃３３との間に鋏まれることで切断されることとなる。
【００３２】
また、本実施形態に係るガーデンシュレッダ１０は、回転刃３１が投入口１１からの被切断材の投入方向に対して傾斜した状態で設置されているため、回転刃３１の回転切断刃３１ａ，３１ｂが被切断材に食い込みやすく、回転刃３１が食い込んだ被切断材がケーシング１３の内部に引き込まれやすい構造となっている。したがって、本実施形態に係るガーデンシュレッダ１０によれば、被切断材の内部への引き込み不良発生時の修正作業（被切断材の押し込み作業）の頻度を低減できるので、操作者は、より少ない労力で被切断材を切断することができることとなる。
【００３３】
回転刃３１と固定刃３３とによって切断された被切断材は、回転刃３１の下方の排出経路のための空間αに落下し、さらに、ケーシング１３の下部に形成される排出口１４から排出され、切断された被切断材を入れるためのシュレッダボックス１５内に貯蔵されることとなる。
【００３４】
シュレッダボックス１５は、シュレッダボックス１５を取り外すためのレバー１６を上方向に押し上げた状態で、正面側に引くことによって取り出すことができるようになっている。そして、シュレッダボックス１５内の切断された被切断材は、操作者の目的に応じて、例えば、ゴミとして廃棄したり、堆肥、燻製用のチップ、又はマルチングなどに用いたりすることができる。
【００３５】
本実施形態に係るガーデンシュレッダ１０は、ガーデンシュレッダ１０を支持する２つの脚部１７の間に配置される組立て軸１８および２つの車輪１９を取り外した後、２つの脚部１７を上方へ向くように回動させ、さらに、取り外したシュレッダボックス１５をガーデンシュレッダ１０に上方から被せることで、コンパクトに収納することができるようになっている。なお、収納した状態から使用する場合には、２つの脚部１７の間に組立て軸１８を配置し、脚部１７に形成されている穴に組立て軸１８を挿入し、組立て軸１８の両端に車輪１９をナットなどで固定することとなる。
【００３６】
なお、本実施形態に係るガーデンシュレッダ１０は、被切断材を押し込むための押込み棒（不図示）を備えて構成することができる。
【００３７】
以上、本実施形態に係るガーデンシュレッダ１０の基本的な構成について、説明した。次に、本実施形態に係る調節板４０について、図６および図７を用いて説明する。
【００３８】
調節板４０は、投入された被切断材を受け止めるとともに回転刃３１との距離を調節可能となるように構成される。調節板４０は、図６に示すように、ケーシング１３の内部であって固定刃３３と重畳しない位置に設置される。また、調節板４０は、投入口１１に投入された被切断材を受け止める調節板４０の面が、回転刃３１の回転軸２６と直交するように設置される。そして、この調節板４０は、調節板４０の移動を案内する調節板案内リブ４１を有して構成される。この調節板案内リブ４１に隣接してバネ４３が配置される。このバネ４３の弾性により、被切断材を受け止める調節板４０の面からモータ２１側に伸びるカム当接部４５が後述するカム５１に向けて押圧力を及ぼしながら接触し、調節板４０の位置が保持されることになる。
【００３９】
図７に示すように、カム５１は、調節板４０に隣接して設置される。このカム５１は、断面視略勾玉形状となっており、カム５１を回転させることによって、調節板４０は回転刃３１の回転軸方向に移動し、回転刃３１との距離を調節することができるように構成されている。すなわち、カム５１の周面は、断面視略勾玉形状に基づく形状作用によって、回転刃３１の回転軸２６からの距離が一定でない。したがって、カム５１は、調節板４０のカム当接部４５と接触状態を維持しながら回転することで、調節板４０の位置を回転刃３１の回転軸方向で移動させることができるように構成されている。このような構成により、調節板４０は、回転刃３１との距離を調節することができる。
【００４０】
なお、本実施形態に係るカム５１は、操作者が、カム５１を回転させるためのダイヤル５３を回すことによって回転するようになっている（図２および図３参照）。カム５１は、調節板４０のカム当接部４５の少なくとも２点と接触可能となるように構成され、当該位置で調節板４０を保持することができるようになっている。
【００４１】
このダイヤル５３は、カム５１のロックボタンとしても機能し、図２および図３に示すように、多段階でカム５１の位置決めができるように構成される。このダイヤル５３の回転に応じて、カム５１が回転するようになっている。
【００４２】
以上、本実施形態に係る調節板４０について、説明した。次に、本実施形態に係るガーデンシュレッダ１０の動作例について、説明する。
【００４３】
本実施形態に係るガーデンシュレッダ１０は、操作者が、所望の切断寸法に切断された被切断材を得るために、ダイヤル５３を所定の位置に回すこととなる。上述したように、所望のダイヤル５３の位置となるようにダイヤル５３を回転すると、ダイヤル５３の回転に応じてカム５１が回転することとなる。そして、カム５１が回転すると、調節板４０のカム当接部４５の下面とカム５１の周面とが接触し、また、調節板４０は、バネ４３の弾性によって、常にカム５１に向けて押圧力を及ぼされながらカム５１と接触するので、調節板４０は当該位置で保持されることとなる。したがって、ダイヤル５３の操作によって、調節板４０と回転刃３１との距離を調節することができることになる。
【００４４】
そして、上述したように、操作者がスイッチ装置２７を押すことによりオン・オフ制御が行われ、スイッチ装置２７がオンになったときに不図示の外部電源からの電力がモータ２１へ供給されることで、モータ２１が有するモータ軸２２の回転駆動が行われるようになっている。モータ２１に電力が供給されるとモータ２１が有するモータ軸２２が回転し、その駆動力は、動力伝達機構２３により回転刃３１に伝達される。そして、回転刃３１は、高速回転することとなる。
【００４５】
操作者は、例えば剪定された枝葉などの被切断材を投入口１１からケーシング１３内に投入する。投入口１１から投入された被切断材は、開口部１２の下方にある調節板４０によって受け止められることとなる。そして、調節板４０によって受け止められた被切断材は、高速回転している回転刃３１により巻き込まれて回転し、調節板４０と回転刃３１との距離を保持しながら、固定刃３３との間に移動し、回転刃３１と固定刃３３との間に鋏まれて切断されることとなる。この際、被切断材は、調節板４０と回転刃３１との距離を保持しながら、固定刃３３の位置まで移動することとなるため、調節板４０と回転刃３１との距離の寸法と略同寸法で切断されることになる。したがって、本実施形態に係るガーデンシュレッダ１０によれば、ダイヤル５３を操作することによりカム５１を回転させて調節板４０と回転刃３１との距離を調節することによって、容易に被切断材の切断寸法を調節することができるようになっている。
【００４６】
このようにして、本実施形態に係るガーデンシュレッダ１０によって切断された被切断材は、シュレッダボックス１５に貯蔵されることとなる。そして、本実施形態に係るガーデンシュレッダ１０によって切断された被切断材は、操作者の使用目的に応じて、例えば、ゴミとして廃棄したり、堆肥、燻製用のチップ、又はマルチングなどに用いたりすることができる。
【００４７】
以上、本発明の好適な実施形態について説明したが、本発明の技術的範囲は上記実施形態に記載の範囲には限定されない。
【００４８】
例えば、本実施形態に係るガーデンシュレッダ１０では、調節板４０と回転刃３１との距離を調節するために調節板４０を移動させる機構としてカム５１を用いているが、本発明の範囲はこれに限定されず、例えばネジを用いてネジを回すことにより調節板４０を移動させ、調節板４０と回転刃３１との距離を調節することとしても良い。その様な構成の具体例を、図８および図９を用いて説明する。ここで、図８は、本発明に係るガーデンシュレッダが取り得る多様な変形形態の一例を示す要部縦断面概略図であり、図９は、図８で示した変形形態に係るガーデンシュレッダの使用時の様子を例示した図である。
【００４９】
図８に示す変形形態に係るガーデンシュレッダ１００は、上述した本実施形態に係るガーデンシュレッダ１０をよりシンプルな構成で実現したものであり、上方に形成された投入口１１１に続いて形成される投入経路１１２が、斜め下方を向いて構成されている。また、投入経路１１２の終端部には、鉛直方向に向いて固定された固定刃１３３と、この固定刃１３３に沿って鉛直方向の平面内で回転運動する回転刃１３１とが配置されている。
【００５０】
さらに、回転刃１３１と固定刃１３３の設置位置のさらに奥（図８中の紙面右側）には、板状に形成された調節板１４０が配置されている。この調節板１４０は、ケーシング１１３に形成された長孔１１３ａに対してチップ長調節ネジ１４１によって水平方向での位置調節が可能な状態で固定されている。すなわち、チップ長調節ネジ１４１を緩めた状態で調節板１４０を長孔１１３ａに沿って水平方向（図８中の紙面左右方向）に移動させることで、回転刃１３１および固定刃１３３の位置と調節板１４０の位置との間隔を調節することができ、また、調節板１４０が所望の位置となった状態でチップ長調節ネジ１４１を締め込むことで、調節板１４０の位置固定が成され、回転刃１３１および固定刃１３３の位置と調節板１４０の位置との間隔を決定することができる。
【００５１】
なお、図８および図９で例示する変形形態においては、回転刃１３１を回転駆動するためのモータ２１のモータ軸２２に対して不図示の動力伝達機構を介して誘導カム１２１が連結されており、回転刃１３１の回転運動に連動して誘導カム１２１が回転運動することで、投入経路１１２へ誘導カム１２１の外周面が出退を繰り返すように構成されている。この誘導カム１２１は、回転刃１３１と固定刃１３３による切断によって投入経路１１２の底面側に移動した被切断材を上方へ移動させて調節板１４０に安定して当接させるために設置されており、より安定した切断を実現することができる。ただし、本発明に係るガーデンシュレッダにおいて、誘導カム１２１は必須の構成ではなく、設置を省略することもできる。
【００５２】
したがって、図９に示すように、上方に形成された投入口１１１から投入された被切断材Ｗは、投入経路１１２に沿って斜め下方に向けて誘導され、被切断材Ｗの下方側の端部が調節板１４０に当接することとなる。被切断材Ｗは、調節板１４０に当接することで固定され、位置決めされた状態となり、この様な状態で回転刃１３１が回転して被切断材Ｗに食い込み、さらに回転刃１３１と固定刃１３３とが協働して被切断材Ｗを切断することとなる。なお、切断の際は、回転刃１３１と固定刃１３３による切断によって投入経路１１２の底面側に移動した被切断材Ｗが誘導カム１２１により上方へ移動させられることで調節板１４０に安定して当接するので、より安定した切断が実行されることになる。さらにこのとき、調節板１４０は、チップ長調節ネジ１４１と長孔１１３ａとを用いることで回転刃１３１および固定刃１３３の位置との間隔が調節され、所望の間隔を有するように設定されているので、被切断材Ｗの切断長さは、所望の長さで略一定となる。すなわち、図８および図９で例示した変形形態に係るガーデンシュレッダ１００によれば、剪定された枝葉などを切断する目的に応じて、枝葉などの切断寸法の調節を容易に実現することが可能となっている。
【００５３】
以上、図１〜図９を用いて、本発明に係るガーデンシュレッダが取り得る様々な形態例を説明した。しかしながら、上述した実施形態および変形形態については、さらに多様な変更又は改良を加えることが可能である。
【００５４】
例えば、本実施形態に係るガーデンシュレッダ１０では、調節板４０は板状のものを用いているが、本発明に係る調節板は、この様な形態に限定されるものではなく、投入された被切断材を受け止めるとともに回転刃３１との距離を調節可能なものであれば良い。
【００５５】
また、例えば、上述した実施形態および変形形態における回転刃３１，１３１と固定刃３３，１３３との位置関係については、その配置関係を逆にすることができる。
【００５６】
その様な変更又は改良を加えた形態も本発明の技術的範囲に含まれ得ることが、特許請求の範囲の記載から明らかである。
【符号の説明】
【００５７】
１０，１００  ガーデンシュレッダ、１１，１１１  投入口、１２  開口部、１３，１１３  ケーシング、１４  排出口、１５  シュレッダボックス、１６  レバー、１７  脚部、１８  組立て軸、１９  車輪、２１  モータ、２２  モータ軸、２２ａ  モータ軸歯車、２３  動力伝達機構、２５  中間軸、２５ａ，２５ｂ，２６ａ，２６ｂ  軸受、２５ｃ  第一歯車、２５ｄ  中間軸歯車、２６  回転刃軸、２６ｃ  第二歯車、２７  スイッチ装置、２９  ブレーカ装置、３１，１３１  回転刃、３３，１３３  固定刃、４０，１４０  調節板、４１  調節板案内リブ、４３  バネ、４５  カム当接部、５１  カム、５３  ダイヤル、１１２  投入経路、１１３ａ  長孔、１２１  誘導カム、１４１  チップ長調節ネジ、α  空間、Ｗ  被切断材。
【図１】
2015189009.tif 000003
【図２】
2015189009.tif 000004
【図３】
2015189009.tif 000005
【図４】
2015189009.tif 000006
【図５】
2015189009.tif 000007
【図６】
2015189009.tif 000008
【図７】
2015189009.tif 000009
【図８】
2015189009.tif 000010
【図９】
2015189009.tif 000011